(57)【要約】【課題】タイルカーペットバッキング層に含まれるＤＯＰなどの可塑剤が、滑り止め感圧粘着剤に移行することによって滑り止め感圧粘着剤が軟化し、タイルカーペットズレ止め感圧粘着剤として本来もっていなくてはならない床材に対する再剥離性、非汚染性及びズレ止め性が経時的に失われていくことを遮断すること。【解決手段】可塑化塩化ビニールのようなタイルカーペットバッキング層と滑り止め感圧粘着剤との間に可塑剤遮断バリアー層を挿入することによってタイルカーペットの再剥離性及びズレ止め性を維持するものである。バリアー層となるフィルムとしては、セルロース系フィルム、ポリ乳酸系フィルム、フッ化エチレン系フィルム、ナイロン系フィルム、ポリエステル系フィルム、ポリビニルアルコール系フィルム、無可塑ポリ塩化ビニリデン系フィルム、無可塑塩化ビニール系フィルム、ポリイミド系フィルム、ポリウレタン系フィルムなどが好ましい。【選択図】図１
2007051449.tif 000002
【特許請求の範囲】
【請求項１】
タイルカーペット裏面と滑り止め感圧粘着剤との間にバリアー層が挿入されたタイルカーペット。
【請求項２】
タイルカーペットが可塑化塩化ビニール系樹脂である請求項１記載のタイルカーペット。
【請求項３】
滑り止め感圧粘着剤がホットメルト接着剤である請求項１〜２記載のタイルカーペット。
【請求項４】
滑り止め感圧粘着剤が、スチレン・ブロックコポリマーを主成分とするゴム系ホットメルト接着剤である請求項１〜３に記載のタイルカーペット。
【請求項５】
バリアー層が、セルロース系フィルム、フッ化エチレン系フィルム、ナイロン系フィルム、ポリエステル系フィルム、ポリビニルアルコール系フィルム、無可塑ポリ塩化ビニリデン系フィルム、無可塑塩化ビニール系フィルム、ポリイミド系フィルム、ポリウレタン系フィルム、アクリル系フィルムのいずれかである請求項１〜４記載のタイルカーペット。
【請求項６】
プリコートされた滑り止め感圧粘着剤の同士の相互剥離力が、最大でも０．５ｋｇｆ／５０ｍｍである請求項１〜５に記載のタイルカーペット。
【請求項７】
滑り止め感圧粘着剤の剪断接着力が、少なくとも、１．９ｋｇｆ／３５ｃｍ２である請求項１〜６に記載のタイルカーペット。
【発明の詳細な説明】
【技術分野】
【０００１】
本発明は、滑り止め感圧粘着剤がプリコートされたタイルカーペットに関するものである。
【背景技術】
【０００２】
タイルカーペットに感圧接着剤と非粘着材料の両方をプリコートし、裏面同士を貼り合わせた場合感圧接着剤塗布部分が互いに接触しないようパターン・コートする特許が出願されている（特許文献１）。この特許では可塑剤移行を阻止する中間バリアー層についての記載がなく、滑り止め感圧粘着剤の経時的性能低下を阻止できなかった。
【０００３】
ＳＢＲとＳＢＳに無機フィラーをブレンドしたものを各種床材に対するフィッティング材とし、塩化ビニール樹脂系熱融着繊維／ポリエステル繊維／ポバールから成る不織布を中間層として介して塩化ビニール系バッキング層と接着した置き敷きタイルに関する特許が出願されている（特許文献２）。この特許には接着剤としての機能をもつ塩化ビニール樹脂系熱融着繊維／ポリエステル繊維／ポバールから成る不織布はフィルムとは異なり、塩化ビニール系バッキング層に塩化ビニールと炭酸カルシウムの混合物に含まれる可塑剤ＤＯＰのフィッティング層に対するバリアー層としては機能し得ない。ドライラミネート方式で接着剤を使用してもよいとされているが、当該接着剤の限定もなされず、可塑剤に対するバリアー性の記載はない。
【特許文献１】特開昭６１−２７３３１５号公報
【特許文献２】特開平８−４２６４号公報
【発明の開示】
【発明が解決しようとする課題】
【０００４】
本発明が解決しようとする問題点は塩化ビニールと炭酸カルシウムの混合物から成るタイルカーペットバッキング層に含まれるＤＯＰなどの可塑剤がズレ止め感圧粘着剤に移行することによって滑り止め感圧粘着剤が軟化し、タイルカーペット滑り止め感圧粘着剤として本来もっていなくてはならない床材に対する再剥離性、非汚染性及び滑り止め性が経時的に失われていくことである。
【０００５】
即ち、タイルカーペットバッキング層に含まれるＤＯＰが滑り止め感圧粘着剤に移行するのを遮断することが本発明の課題である。
【課題を解決するための手段】
【０００６】
タイルカーペット裏面と滑り止め感圧粘着剤との間にバリアー層が挿入されたタイルカーペットである。タイルカーペットは、可塑化塩化ビニール系樹脂である事が好ましい。
滑り止め感圧粘着剤はホットメルト接着剤である事が好ましく、さらには、スチレン・ブロックコポリマーを主成分とするゴム系ホットメルト接着剤である事が好ましい。
また、バリアー層は、セルロース系フィルム、フッ化エチレン系フィルム、ナイロン系フィルム、ポリエステル系フィルム、ポリビニルアルコール系フィルム、無可塑ポリ塩化ビニリデン系フィルム、無可塑塩化ビニール系フィルム、ポリイミド系フィルム、ポリウレタン系フィルム、アクリル系フィルムのいずれかであることが好ましい。
さらには、プリコートされた滑り止め感圧粘着剤の同士の相互剥離力は、最大でも０．５ｋｇｆ／５０ｍｍである事が好ましい。
さらには、滑り止め感圧粘着剤の剪断接着力は、少なくとも１．９ｋｇｆ／３５ｃｍ２であることが好ましい。
【発明の効果】
【０００７】
現在、塩化ビニール樹脂と炭酸カルシウムの混合物を主成分とするバッキング材を最下層にもつタイルカーペットが一般に市販されていて、ＯＡフロア等への敷設施工ではエマルジョン系接着剤を床材に塗工し乾燥後タイルカーペットを１枚１枚貼り付ける作業又は両面テープを床材に貼り付け剥離紙を剥がしてタイルカーペットを１枚１枚貼り付ける作業が実施されている。
【０００８】
しかしながら、これら接着剤または両面テープの現場施工方式では接着加工に多くの労力を必要とし、近年の施工職人の不足が一般化するなかで効率的な施工方式の開発が急務となっている。
【０００９】
本発明のタイルカーペットを使用することにより、床面に対してタイルカーペットをフィッティングし、かつ床面に対する再剥離性をもつ滑り止め感圧粘着剤をタイルカーペットにプリコートしておくことにより、敷設施工では現場塗工の必要がなく、床に置いていくだけでよい。また、滑り止め感圧粘着剤が再剥離性のため貼り直しが効き非熟練工による施工が可能である。
【発明を実施するための最良の形態】
【００１０】
本発明のタイルカーペットの材料として、例えば、可塑化塩化ビニール系樹脂、エチレン酢酸ビニール樹脂、エチレンプロピレン共重合樹脂等がある。好ましくは、可塑化塩化ビニール系樹脂である。
具体的には、化繊パイル／塩化ビニール混合物／タイルカーペット基材／塩化ビニール混合物を積層して成形された可塑化塩化ビニール系樹脂を使用したりする。
タイルカーペットの厚さは特定されないが通常の２ｍｍ〜７ｍｍ位のものを使用すればよい。
滑り止め感圧粘着剤は、ホットメルト接着剤、特にスチレン・ブロックコポリマーを主成分とするゴム系ホットメルト接着剤である事が好ましい。
滑り止め感圧粘着剤やホットメルト接着剤は、市販されているものを使用してもよい。
３０μm〜１００μmの厚さにタイルカーペットに塗工される滑り止め感圧粘着剤は水及び有機溶剤を揮散させる必要のないホットメルト接着剤がエネルギー効率、工程効率、安全性の見地から望ましいが、感圧性のゴム系ホットメルト接着剤は塩ビ可塑剤との親和性が高く、直接可塑化塩化ビニールと接触すると、可塑剤が滑り止め感圧粘着剤に移行し易い欠点がある。本発明者らはこの欠点を克服するため、可塑剤の移行を阻止するバリアー層を、例えば、可塑化塩化ビニールと滑り止め感圧粘着剤の間に介在させることを見出し本発明の完成に至った。
さらに好ましくは滑り止め感圧粘着剤として、スチレン・ブロックコポリマーを主成分とするゴム系ホットメルト接着剤がプリコートされ、また、プリコートされた滑り止め感圧粘着剤同士の相互剥離力は最大でも０．５ｋｇｆ／５０ｍｍである事が好ましく、また、剪断接着力は少なくとも１．９ｋｇｆ／３５ｃｍ２であるタイルカーペットである事が好ましい。
バリアー層として、たとえば酢酸セルロース、硝酸セルロースなどのセルロース系フィルム、たとえば３フッ化エチレン、4フッ化エチレンなどのフッ化エチレン系フィルム、たとえば６ナイロン、６，６ナイロン、１２ナイロンなどのナイロン系フィルム、たとえばポリ乳酸、ポリブチレンサクシネート、ポリエチレンテレフタレート、ポリブチレンテレフタレート、ポリトリメチレンテレフタレートなどのポリエステル系フィルム、たとえばポリビニルアルコール・コポリマーなどのポリビニルアルコール系フィルム、ポリ塩化ビニリデン系フィルム、無可塑塩化ビニール系フィルム、たとえばデュポン社製商標名：カプトンなどのポリイミド系フィルム、ポリウレタン系フィルム、たとえばアクリロニトリル系などのアクリル系フィルムなどの極性フィルムであることが好ましい。
バリアー層の厚さは特定されないが通常の１０〜３０μm位のものを使用すればよい。
【００１１】
バリアー層を介在させる手段として、より好ましくは対塩化ビニール接着性等を向上させるプライマー処理を施したセルロース系フィルム、フッ化エチレン系フィルム、ナイロン系フィルム、ポリエステル系フィルム、ポリビニルアルコール系フィルム、無可塑ポリ塩化ビニリデン系フィルム、無可塑塩化ビニール系フィルム、ポリイミド系フィルム、ポリウレタン系フィルム、アクリル系フィルムなどをバリアー層とし、それらのバリアーフィルムに対して、例えば、タイルカーペットが可塑化塩化ビニール系樹脂の場合、カレンダー塗工により化繊パイル／可塑化塩化ビニール混合物／タイルカーペット基材／可塑化塩化ビニール混合物を積層して成形されたタイルカーペットのフィルム面側に滑り止め感圧粘着剤を塗布して製造してもよい。
【００１２】
タイルカーペットのフィルム面側のホットメルト感圧粘着剤や本発明の滑り止め感圧粘着剤層の塗布はロールコーター又はスロットコーターによって行われる。床面に対する再剥離性を持つ接着剤であるためにバリアーフィルムの種類によってはフィルム面に対する投錨力が低すぎる場合がある。その場合はホットメルト感圧粘着剤に親和性の強いプライマー処理をするか、又はポリオレフィン層を介して耐熱性のある不織布をラミネートすることによって機械的結合力を持たせる手段をとる。
【００１３】
タイルカーペットのフィルム面側等のラミネートされた不織布にロールコーターにより滑り止め感圧粘着剤を塗工するのは、滑り止め感圧粘着剤を不織布がもつ間隙にロールコーターによって強圧で浸入させ機械的な接着力をもたせるためである。滑り止め感圧粘着剤と不織布との機械的接着力以上の凝集力をもつように設計することによって、より間隙の少ない床材に滑り止め感圧粘着剤が転移するおそれはなくなり好ましい。
【００１４】
ホットメルト接着剤でない滑り止め感圧粘着剤には溶剤型ゴム系接着剤、溶剤型アクリル系接着剤、エマルジョン型アクリル系接着剤などがある。溶剤型ゴム系接着剤には、天然ゴム系、ＳＢＲゴム系、クロロプレンゴム系などがあり、溶剤型アクリル系には、ブチルアクリレート、２エチルヘキシルアクリレート、オクチルアクリレートなどの重合物とアクリル酸などの官能基を付加したものにイソシアナート化合物などで架橋されたタイプと、さらにはブチルアクリレート、２エチルヘキシルアクリレート、オクチルアクリレートなどと酢酸ビニールなどを共重合することによって粘着性を調整したタイプがある。またエマルジョン系接着剤にはブチルアクリレート、２エチルヘキシルアクリレート、オクチルアクリレートなどの重合物がある。それらの溶剤型またはエマルジョン型接着剤をタイルカーペット裏面にロールコーター、コンマコーターなどで塗工し、溶剤または水を乾燥する。  
【実施例１】
【００１５】
可塑剤ＤＯＰの滑り止め感圧粘着剤への移行の有無に対してフィルム厚さを１０μｍから１００μｍに変化し、滑り止め感圧粘着剤のバリアー層反対側表面のＤＯＰ特性吸収体を赤外吸収スペクトル（たとえば１２７０及び１７３０ｃｍ−１）によってフィルムを透過した可塑剤の有無を確認した。フィルム厚さが２０μｍ以下のものを○、２０μｍを超えて８０μｍまでのものを△、８０μｍ以上のものを×とした。結果を表１に記載した。  
【００１６】
【表１】
2007051449.tif 000003
【実施例２】
【００１７】
片面にプライマー（エスジーティー(株)製ＹＰ−２使用）処理し、他面に住友化学(株)製ポリエチレンをラミネートし旭化成(株)製ポリエステルスパンボンド不織布を貼り合わせたポリエステルフィルムを東リ(株)製タイルカーペットの塩化ビニールバッキング層にアイロンを用いて接着し、ポリエステルスパンボンド不織布側にずれ止めヤスハラケミカル（株）製ホットメルト感圧粘着剤を塗布し、初期及び６０℃−１週間後のずれ止め性能を測定した。結果を表２に記載した。  
【００１８】
【表２】
2007051449.tif 000004
【産業上の利用可能性】
【００１９】
本発明のタイルカーペットは、床面に対するフィッティングが良好で再剥離可能なタイルカーペットとして提供できる。
【図面の簡単な説明】
【００２０】
【図１】本発明のタイルカーペットの断面図である。
【符号の説明】
【００２１】
１  タイルカーペット表面層
２  可塑化塩化ビニール樹脂層
３  プライマー処理済ポリエステル系フィルム層
４  不織布層
５  滑り止め感圧粘着剤層
【図１】
2007051449.tif 000005